(57)【要約】【課題】お気に入り登録された商品を一括して管理できる技術を提供することを目的とする。【解決手段】情報処理端末に、ユーザによりお気に入り登録された商品の一覧を示す情報の取得要求を、第１電子商取引サービスを提供する情報処理装置へ送信する処理と、前記情報処理装置から受信した前記商品の一覧を示す情報を表示させる処理と、を実行させるプログラムであり、前記商品の一覧を示す情報は、前記第１電子商取引サービスにおいて前記ユーザによりお気に入り登録された商品の情報と、第２電子商取引サービスにおいて前記ユーザによりお気に入り登録された商品の情報とを含む。【選択図】図９
2020126546.tif 000002
【特許請求の範囲】
【請求項１】
情報処理端末に、
ユーザによりお気に入り登録された商品の一覧を示す情報の取得要求を、第１電子商取引サービスを提供する情報処理装置へ送信する処理と、
前記情報処理装置から受信した前記商品の一覧を示す情報を表示させる処理と、を実行させ、
前記商品の一覧を示す情報は、前記第１電子商取引サービスにおいて前記ユーザによりお気に入り登録された商品の情報と、第２電子商取引サービスにおいて前記ユーザによりお気に入り登録された商品の情報とを含む、プログラム。
【請求項２】
前記情報処理端末に、
前記商品の一覧から、前記第２電子商取引サービスにおいてお気に入り登録された商品が選択された場合に、選択された商品の商品画面の表示要求を前記情報処理装置へ送信する処理と、
前記情報処理装置から、前記第１電子商取引サービスにおける商品画面のフォーマットで前記選択された商品の商品情報を表示させる情報を受信する処理と、
前記選択された商品の商品画面を、前記第１電子商取引サービスにおける商品画面のフォーマットで表示させる処理と、を実行させる、請求項１記載のプログラム。
【請求項３】
前記情報処理端末に、
前記選択された商品の商品画面に対する前記ユーザの操作に基づき、前記選択された商品の代金の決済要求を前記情報処理装置に送信する処理を実行させる、請求項２記載のプログラム。
【請求項４】
前記情報処理端末に、
前記第２電子商取引サービスで販売されている商品がお気に入り登録された場合に、前記第２電子商取引サービスを提供する外部サーバに対し、お気に入り登録された商品の在庫情報を前記情報処理装置へ送信させるための指示を含む登録要求を送信する処理を実行させる、請求項１から３の何れか一項に記載のプログラム。
【請求項５】
前記商品の一覧を示す情報は、前記商品の在庫情報を含む、請求項４記載のプログラム。
【請求項６】
前記商品の一覧を示す情報は、
前記第２電子商取引サービスにおいてお気に入り登録された商品を、前記第１電子商取引サービスにおいて販売した場合の価格を含む、請求項４又は５記載のプログラム。
【請求項７】
前記情報処理端末に、
前記第２電子商取引サービスにおいてお気に入り登録された商品が、前記ユーザ以外の所定数以上のユーザによってお気に入り登録されていた場合に、前記情報処理装置から、前記お気に入り登録された商品の出品画面を示す情報を受信する処理と、
前記出品画面を表示させる処理と、を実行させる、請求項１から６の何れか一項に記載のプログラム。
【請求項８】
情報処理端末が、
ユーザによりお気に入り登録された商品の一覧を示す情報の取得要求を、第１電子商取引サービスを提供する情報処理装置へ送信する処理と、
前記情報処理装置から受信した前記商品の一覧を示す情報を表示させる処理と、を実行し、
前記商品の一覧を示す情報は、前記第１電子商取引サービスにおいて前記ユーザによりお気に入り登録された商品の情報と、第２電子商取引サービスにおいて前記ユーザによりお気に入り登録された商品の情報とを含む、情報処理方法。
【請求項９】
ユーザによりお気に入り登録された商品の一覧を示す情報の取得要求を、第１電子商取引サービスを提供する情報処理装置へ送信する送信部と、
前記情報処理装置から受信した前記商品の一覧を示す情報を表示させる表示制御部と、を有し、
前記商品の一覧を示す情報は、前記第１電子商取引サービスにおいて前記ユーザによりお気に入り登録された商品の情報と、第２電子商取引サービスにおいて前記ユーザによりお気に入り登録された商品の情報とを含む、情報処理端末。
【請求項１０】
第１電子商取引サービスを提供する情報処理装置に、
情報処理端末から、前記情報処理端末のユーザによってお気に入り登録された商品の一覧を示す情報の取得要求を受信する処理と、
前記商品の一覧を示す情報を前記情報処理端末に送信する処理と、を実行させ、
前記商品の一覧を示す情報は、前記第１電子商取引サービスにおいてお気に入り登録された商品の情報と、第２電子商取引サービスにおいてお気に入り登録された商品の情報とを含む、プログラム。
【請求項１１】
第１電子商取引サービスを提供する情報処理装置に、
情報処理端末から、ユーザによりお気に入り登録された商品の一覧を示す情報の取得要求を受信する処理と、
前記商品の一覧を示す情報を前記情報処理端末に送信する処理と、を実行させ、
前記商品の一覧を示す情報は、前記第１電子商取引サービスにおいて前記ユーザによりお気に入り登録された商品の情報と、第２電子商取引サービスにおいて前記ユーザによりお気に入り登録された商品の情報とを含む、情報処理方法。
【請求項１２】
情報処理端末から、ユーザによってお気に入り登録された商品の一覧を示す情報の取得要求を受信する受信部と、
前記商品の一覧を示す情報を前記情報処理端末に送信する送信部と、有し、
前記商品の一覧を示す情報は、自機が提供する第１電子商取引サービスにおいて前記ユーザによりお気に入り登録された商品の情報と、第２電子商取引サービスにおいて前記ユーザによりお気に入り登録された商品の情報とを含む、情報処理装置。
【発明の詳細な説明】
【技術分野】
【０００１】
本開示は、プログラム、情報処理方法、情報処理端末、情報処理装置に関する。
【背景技術】
【０００２】
従来から、電子商取引サービスの１つであるＥＣ（Electronic Commerce）サイトなどにおいて販売される商品のうち、ユーザが所望の商品について、商品情報を簡単に閲覧できるように、お気に入り登録する技術が知られている（特許文献１）。
【先行技術文献】
【特許文献】
【０００３】
【特許文献１】特許第６２６６０６５号公報
【発明の概要】
【発明が解決しようとする課題】
【０００４】
従来の技術では、お気に入り登録された商品の管理は、ＥＣサイト毎や、複数のＥＣサイトが集まっているＥＣモール毎に行われている。このため、従来の技術では、複数の異なるＥＣサイトにおいてお気に入り登録された商品を一括して管理することができない。
【０００５】
本開示は、お気に入り登録された商品を一括して管理できる技術を提供することを目的とする。
【課題を解決するための手段】
【０００６】
本開示の一実施形態に係るプログラムは、情報処理端末に、ユーザによりお気に入り登録された商品の一覧を示す情報の取得要求を、第１電子商取引サービスを提供する情報処理装置へ送信する処理と、前記情報処理装置から受信した前記商品の一覧を示す情報を表示させる処理と、を実行させ、前記商品の一覧を示す情報は、前記第１電子商取引サービスにおいて前記ユーザによりお気に入り登録された商品の情報と、第２電子商取引サービスにおいて前記ユーザによりお気に入り登録された商品の情報とを含む。
【図面の簡単な説明】
【０００７】
【図１】実施形態の一態様に係る通信システムの構成を示す。
【図２】本開示に係る情報処理装置のハードウェア構成の一例を示す。
【図３】第１実施形態に係る情報処理装置の機能的な構成を示すブロック図の一例を示す。
【図４】ユーザ情報データベースの一例を示す図である。
【図５】登録商品情報データベースの一例を示す図である。
【図６】実施形態に係る通信システムの処理のシーケンスの一例を示す。
【図７】端末のユーザが気に入り登録された商品の一覧から、商品を購入する場合の動作を示すシーケンスである。
【図８】端末においてお気に入り登録を行う際の端末の画面遷移を説明する図である。
【図９】お気に入り一覧画面の一例を示す図である。
【図１０】お気に入り一覧画面において選択された商品を購入する場合の端末の画面遷移を説明する第一の図である。
【図１１】お気に入り一覧画面において選択された商品を購入する場合の端末の画面遷移を説明する第二の図である。
【図１２】第１実施例のお気に入り一覧画面の表示例を示す図である。
【図１３】第２実施例のお気に入り一覧画面の表示例を示す図である。
【図１４】第３実施例のお気に入り一覧画面の表示例を示す図である。
【発明を実施するための形態】
【０００８】
＜法令遵守＞
本明細書に記載の開示は、実施される場合、本開示を実施する各国の法令を遵守のうえで実施される。また、本明細書に記載の開示は、各国の法令を遵守するために必要な、当業者が成し得る全ての変更、置換、変形、改変、および修正をもって実施される。
【０００９】
＜システム構成＞
図１は、本開示の一実施形態に係る通信システム１の構成を示す。図１に開示されるように、通信システム１では、ネットワーク１３０を介してサーバ１１０Ａ、サーバ１１０Ｂと、端末１２０Ａ、端末１２０Ｂ、端末１２０Ｃと、外部サーバ１４０と、が接続される。
【００１０】
本開示において、サーバ１１０Ａと、サーバ１１０Ｂとをそれぞれ区別する必要がない場合は、サーバ１１０Ａとサーバ１１０Ｂとは、それぞれサーバ１１０と表現されてもよい。
【００１１】
本開示において、端末１２０Ａと、端末１２０Ｂと、端末１２０Ｃとをそれぞれ区別する必要がない場合は、端末１２０Ａと端末１２０Ｂと端末１２０Ｃとは、それぞれ端末１２０と表現されてもよい。
【００１２】
本開示において、サーバ１１０と、端末１２０とをそれぞれ区別する必要がない場合は、サーバ１１０と端末１２０とは、それぞれ情報処理装置２００と表現されてもよい。なお、ネットワーク１３０に接続される情報処理装置２００の数は限定されない。
【００１３】
サーバ１１０は、ネットワーク１３０を介してユーザが利用する端末１２０に、所定のサービスを提供する。所定のサービスは、限定でなく例として、決済サービス、金融サービス、電子商取引サービス、インスタントメッセンジャーを代表とするＳＮＳ（Social Networking Service）、楽曲・動画・書籍などのコンテンツ提供サービス等を含む。ユーザが端末１２０を介して所定のサービスを利用することで、サーバ１１０は１以上の端末１２０に所定のサービスを提供することができる。
【００１４】
本開示において、決済サービスとは１以上のユーザが金銭または金銭相当物の授受ができるサービスを意味する。限定でなく例として、一次元コード（バーコードなど）、二次元コード（ＱＲコード（登録商標）など）（以下で、一次元コードおよび二次元コードをまとめて「二次元コード等」と総称する。）、近距離無線通信（ＮＦＣ (Near Field Communication)、ＢＬＥ（Bluetooth（登録商標） Low Energy）、Wi-Fi（登録商標）、超音波通信、赤外線通信など）を利用して決済を行うサービスを含む。また、代金の支払いを行うユーザ（支払者）の端末１２０が二次元コード等を読み取ることで決済を行うことを「ユーザ読取型コード決済」または「ＭＰＭ（Merchant Presented Mode）」と表現し、支払いを行うユーザの端末１２０が二次元コード等を表示し、表示された二次元コード等を、代金を請求する店舗側等のユーザ（販売者、請求者）の端末１２０が読み取ることで決済を行うことを「店舗読取型コード決済」または「ＣＰＭ（Consumer Presented Mode）」と表現する。なお、ＭＰＭおよびＣＰＭは、動的であってもよいし、静的であってもよい。
【００１５】
必要に応じて、ユーザＸが利用する端末を端末１２０Ｘと表現し、ユーザＸまたは端末１２０Ｘに対応づけられた、所定のサービスにおけるユーザ情報をユーザ情報Ｘと表現する。なお、ユーザ情報とは、所定のサービスにおいてユーザが利用するアカウントに対応付けられたユーザの情報である。ユーザ情報は、限定でなく例として、ユーザにより入力される、または、所定のサービスにより付与される、ユーザの名前、ユーザのアイコン画像、ユーザの年齢、ユーザの性別、ユーザの住所、ユーザの趣味趣向、ユーザの識別子などのユーザに対応づけられた情報、ユーザに対応付けられた電子バリュー（電子マネー）の残高情報、ユーザに対応付けられたクレジットカード情報（クレジットカード番号など）を含み、これらのいずれか一つまたは、組み合わせであってもよい。
【００１６】
ネットワーク１３０は、２以上の情報処理装置２００を接続する役割を担う。ネットワーク１３０は、端末１２０がサーバ１１０に接続した後、データを送受信することができるように接続経路を提供する通信網を意味する。
【００１７】
ネットワーク１３０のうちの１つまたは複数の部分は、有線ネットワークや無線ネットワークであってもよい。ネットワーク１３０は、限定でなく例として、アドホック・ネットワーク（Ad Hoc Network）、イントラネット、エクストラネット、仮想プライベート・ネットワーク（Virtual Private Network：ＶＰＮ）、ローカル・エリア・ネットワーク（Local Area Network：ＬＡＮ）、ワイヤレスＬＡＮ（Wireless LAN：ＷＬＡＮ）、広域ネットワーク（Wide Area Network：ＷＡＮ）、ワイヤレスＷＡＮ（Wireless WAN：ＷＷＡＮ）、大都市圏ネットワーク（Metropolitan Area Network：ＭＡＮ）、インターネットの一部、公衆交換電話網（Public Switched Telephone Network：ＰＳＴＮ）の一部、携帯電話網、ＩＳＤＮｓ（Integrated Service Digital Networks）、無線ＬＡＮｓ、ＬＴＥ（Long Term Evolution）、ＣＤＭＡ（Code Division Multiple Access）、ブルートゥース（Bluetooth（登録商標））、衛星通信など、または、これらの２つ以上の組合せを含むことができる。ネットワーク１３０は、１つまたは複数のネットワーク１３０を含むことができる。
【００１８】
情報処理装置２００は、本開示に記載される機能および方法を実現できる情報処理装置であればどのような情報処理装置であってもよい。
【００１９】
情報処理装置２００は、限定ではなく例として、スマートフォン、携帯電話（フィーチャーフォン）、コンピュータ（限定でなく例として、デスクトップ、ラップトップ、タブレットなど）、サーバ装置、メディアコンピュータプラットホーム（限定でなく例として、ケーブル、衛星セットトップボックス、デジタルビデオレコーダなど）、ハンドヘルドコンピュータデバイス（限定でなく例として、ＰＤＡ（Personal Digital Assistant）、電子メールクライアントなど）、ウェアラブル端末（限定でなく例として、メガネ型デバイス、時計型デバイスなど）、他種のコンピュータ、またはコミュニケーションプラットホームを含む。
【００２０】
外部サーバ１４０は、例えば、電子商取引によって商品を販売する事業者と対応付けられたサーバである。外部サーバ１４０は、事業者毎に設けられるものであり、ネットワーク１３０には、複数の外部サーバ１４０が接続されてよい。外部サーバ１４０は、外部サーバ１４０にアクセスした端末１２０に対して、ＥＣ（Electronic Commerce）サイトを提供する。
＜ハードウェア構成＞ 
図２を用いて、通信システム１に含まれる情報処理装置２００のハードウェア構成について説明する。
【００２１】
情報処理装置２００は、プロセッサ２０１と、メモリ２０２と、ストレージ２０３と、入出力インタフェース（入出力Ｉ／Ｆ）２０４と、通信インタフェース（通信Ｉ／Ｆ）２０５とを含む。情報処理装置２００のハードウェアの各構成要素は、限定でなく例として、バスＢを介して相互に接続される。
【００２２】
情報処理装置２００は、プロセッサ２０１と、メモリ２０２と、ストレージ２０３と、入出力Ｉ／Ｆ２０４と、通信Ｉ／Ｆ２０５との協働により、本開示に記載される機能、および／または、方法を実現する。
【００２３】
プロセッサ２０１は、ストレージ２０３に記憶されるプログラムに含まれるコードまたは命令によって実現する機能および方法を実行する。プロセッサ２０１は、限定でなく例として、中央処理装置（ＣＰＵ）、ＭＰＵ（Micro Processing Unit）、ＧＰＵ（Graphics Processing Unit）、マイクロプロセッサ（microprocessor）、プロセッサコア（processor core）、マルチプロセッサ（multiprocessor）、ＡＳＩＣ（Application-Specific Integrated Circuit）、ＦＰＧＡ（Field Programmable Gate Array）等を含み、集積回路（ＩＣ（Integrated Circuit）チップ、ＬＳＩ（Large Scale Integration））等に形成された論理回路（ハードウェア）や専用回路によって各実施形態に開示される各処理を実現してもよい。また、これらの回路は、１または複数の集積回路により実現されてよく、各実施形態に示す複数の処理を１つの集積回路により実現されることとしてもよい。また、ＬＳＩは、集積度の違いにより、ＶＬＳＩ、スーパーＬＳＩ、ウルトラＬＳＩなどと呼称されることもある。
【００２４】
メモリ２０２は、ストレージ２０３からロードしたプログラムを一時的に記憶し、プロセッサ２０１に対して作業領域を提供する。メモリ２０２には、プロセッサ２０１がプログラムを実行している間に生成される各種データも一時的に格納される。メモリ２０２は、限定でなく例として、ＲＡＭ（Random Access Memory）、ＲＯＭ（Read Only Memory）などを含む。
【００２５】
ストレージ２０３は、プログラムを記憶する。ストレージ２０３は、限定でなく例として、ＨＤＤ（Hard Disk Drive）、ＳＳＤ（Solid State Drive）、フラッシュメモリなどを含む。
【００２６】
通信Ｉ／Ｆ２０５は、ネットワーク１３０を介して各種データの送受信を行う。当該通信は、有線、無線のいずれで実行されてもよく、互いの通信が実行できるのであれば、どのような通信プロトコルを用いてもよい。通信Ｉ／Ｆ２０５は、ネットワーク１３０を介して、他の情報処理装置との通信を実行する機能を有する。通信Ｉ／Ｆ２０５は、各種データをプロセッサ２０１からの指示に従って、他の情報処理装置に送信する。また、通信Ｉ／Ｆ２０５は、他の情報処理装置から送信された各種データを受信し、プロセッサ２０１に伝達する。
【００２７】
入出力Ｉ／Ｆ２０４は、情報処理装置２００に対する各種操作を入力する入力装置、および、情報処理装置２００で処理された処理結果を出力する出力装置を含む。入出力Ｉ／Ｆ２０４は、入力装置と出力装置が一体化していてもよいし、入力装置と出力装置とに分離していてもよい。
【００２８】
入力装置は、ユーザからの入力を受け付けて、当該入力に係る情報をプロセッサ２０１に伝達できる全ての種類の装置のいずれか、または、その組み合わせにより実現される。入力装置は、限定でなく例として、タッチパネル、タッチディスプレイ、キーボード等のハードウェアキーや、マウス等のポインティングデバイス、カメラ（画像を介した操作入力）、マイク（音声による操作入力）を含む。
【００２９】
出力装置は、プロセッサ２０１で処理された処理結果を出力することができる全ての種類の装置のいずれか、または、その組み合わせにより実現される。当該処理結果を映像または動画像として出力する場合、出力装置は、フレームバッファに書き込まれた表示データに従って、当該表示データを表示することができる全ての種類の装置のいずれかまたはその組み合わせにより実現される。出力装置は、限定でなく例として、タッチパネル、タッチディスプレイ、モニタ（限定でなく例として、液晶ディスプレイ、ＯＥＬＤ（Organic Electroluminescence Display）など）、ヘッドマウントディスプレイ（ＨＤＭ：Head Mounted Display）、プロジェクションマッピング、ホログラム、空気中など（真空であってもよい）に画像やテキスト情報等を表示可能な装置、スピーカ（音声出力）、プリンターなどを含む。なお、これらの出力装置は、３Ｄで表示データを表示可能であってもよい。
【００３０】
本開示の各実施形態のプログラムは、コンピュータに読み取り可能な記憶媒体に記憶された状態で提供されてもよい。 記憶媒体は、「一時的でない有形の媒体」に、プログラムを記憶可能である。プログラムは、限定でなく例として、ソフトウェアプログラムやコンピュータプログラムを含む。
【００３１】
記憶媒体は適切な場合、１つまたは複数の半導体ベースの、または他の集積回路（ＩＣ）（限定でなく例として、フィールド・プログラマブル・ゲート・アレイ（ＦＰＧＡ）、特定用途向けＩＣ（ＡＳＩＣ）など）、ハード・ディスク・ドライブ（ＨＤＤ）、ハイブリッド・ハード・ドライブ（ＨＨＤ）、光ディスク、光ディスクドライブ（ＯＤＤ）、光磁気ディスク、光磁気ドライブ、フロッピィ・ディスケット、フロッピィ・ディスク・ドライブ（ＦＤＤ）、磁気テープ、固体ドライブ（ＳＳＤ）、ＲＡＭドライブ、セキュア・デジタル・カードもしくはドライブ、任意の他の適切な記憶媒体、またはこれらの２つ以上の適切な組合せを含むことができる。記憶媒体は、適切な場合、揮発性、不揮発性、または揮発性と不揮発性の組合せでよい。
【００３２】
また、本開示のプログラムは、当該プログラムを伝送可能な任意の伝送媒体（通信ネットワークや放送波等）を介して、情報処理装置２００に提供されてもよい。
【００３３】
また、本開示の各実施形態は、プログラムが電子的な伝送によって具現化された、搬送波に埋め込まれたデータ信号の形態でも実現され得る。
【００３４】
なお、本開示のプログラムは、限定でなく例として、JavaScript（登録商標）、Pythonなどのスクリプト言語、Ｃ言語、Ｇｏ言語、Swift Koltin、Java（登録商標）など
を用いて実装される。
【００３５】
情報処理装置２００における処理の少なくとも一部は、１以上のコンピュータにより構成されるクラウドコンピューティングにより実現されていてもよい。
【００３６】
情報処理装置２００における処理の少なくとも一部を、他の情報処理装置により行う構成としてもよい。この場合、プロセッサ２０１により実現される各機能部の処理のうち少なくとも一部の処理を、他の情報処理装置で行う構成としてもよい。
【００３７】
＜その他＞
明示的な言及のない限り、本開示の実施形態における判定の構成は必須でなく、判定条件を満たした場合に所定の処理が動作されたり、判定条件を満たさない場合に所定の処理がされたりしてもよい。
【００３８】
本開示では、明記されていない限り、または文脈によって示されない限り、「AおよびBの少なくとも一方」は、「Ａ、Ｂ、またはその両方」を意味する。さらに、明記されない限り、または文脈によって示されない限り、「ａ」、「ａｎ」、または「ｔｈｅ」は「１つまたは複数」を意味するものとする。したがって、本明細書では、別段に明記されない限り、または文脈によって示されない限り、「ａｎ  Ａ」または「ｔｈｅ  Ａ」は「１つまたは複数のＡ」を意味する。
【００３９】
本開示は、本開示の実施形態および実施例に対して、当業者が成し得る全ての変更、置換、変形、改変、または修正を包含する。また、添付の特許請求の範囲は、本開示の実施形態および実施例に対して、当業者が成し得る全ての変更、置換、変形、改変、または修正を包含する。さらに、本開示は、当業者が成し得る、本開示における実施形態または実施例の１以上の特徴と、本開示における他の実施形態または実施例の１以上の特徴との任意の組合せを包含する。
【００４０】
加えて、特定の機能を実施するように適合される、配置される、能力を有する、構成される、使用可能である、動作可能である、または動作できる装置またはシステムあるいは装置またはシステムの構成要素に対する添付の特許請求の範囲での参照は、その装置、システム、または構成要素がそのように適合される、配置される、能力を有する、構成される、使用可能にされる、動作可能にされる、または動作できる限り、その装置、システム、構成要素またはその特定の機能がアクティベートされ、オンにされ、またはロック解除されているか否かに関わらず、その装置、システム、構成要素を包含する。
【００４１】
本開示は、明示されない限り、いずれの実施形態または実施例を実施するに際して、事前に、または、実施の直前にユーザからの同意を取得してもよい。また、取得する同意は、包括的なものでもよく、都度取得するものでもよい。
【００４２】
＜実施形態＞
実施形態は、複数の電子商取引サービスのそれぞれにおいて、お気に入り登録された商品を一括して管理する実施形態である。
【００４３】
実施形態により、様々な電子商取引サービスにおいてお気に入り登録された商品を一元管理することができ、ユーザの利便性を向上させることができるという効果が得られる。
【００４４】
＜実施形態の機能構成＞
図３を用いてサーバ１１０および端末１２０の機能構成を説明する。図３に開示の機能部は、情報処理装置２００が備えるプロセッサ２０１と、メモリ２０２と、ストレージ２０３と、入出力Ｉ／Ｆ２０４と、通信Ｉ／Ｆ２０５との協働により実現される。
【００４５】
（１）サーバの機能構成 
サーバ１１０は、送受信部３１２と、制御部３１３と、記憶部３１４と、を有する。なお、各機能部の機能または処理は、実現可能な範囲において、機械学習またはＡＩ（Ａｒｔｉｆｉｃａｉｌ  Ｉｎｔｅｌｌｉｇｅｎｃｅ）により実現されてもよい。
【００４６】
送受信部３１２は、制御部３１３の指示に従い、端末１２０などとのデータの送受信を行う。なお、送受信部３１２は、例えば、端末１２０からのログイン要求に含まれるユーザＩＤ、及びパスワードにより端末１２０のユーザが認証された際、端末１２０とのＨＴＴＰＳなどを用いた通信用のセッションを接続する。そして、接続した通信用のセッションのＩＤに対応付けて、端末１２０の通信用のアドレス、及びユーザＩＤなどを記憶しておく。そして、接続した通信用のセッションを用いて、端末１２０にデータを送信する。
【００４７】
制御部３１３は、決済サービス、金融サービス、及び電子商取引サービスなどのサービスを、端末１２０のユーザに提供する処理を行う。制御部３１３の詳細は後述する。
【００４８】
記憶部３１４は、ユーザ情報データベース３１４１と、登録商品情報データベース３１４２とを有する。ユーザ情報データベース３１４１は、端末１２０のユーザ情報を格納する。登録商品情報データベース３１４２は、端末１２０のユーザによってお気に入り商品に選択された商品の商品情報を格納する。
【００４９】
ユーザ情報データベース３１４１と登録商品情報データベース３１４２の詳細は後述する。また、記憶部３１４は、サーバ１１０において実行されるプログラムなどが格納される。
【００５０】
本実施形態の制御部３１３は、通信制御部３１５、商品登録部３１６、表示制御部３１７、在庫判定部３１８、画面生成部３１９、決済部３２０を有する。
【００５１】
通信制御部３１５は、サーバ１１０と外部サーバ１４０との通信や、サーバ１１０と端末１２０との通信を制御する。
【００５２】
商品登録部３１６は、端末１２０のユーザが、端末１２０に表示された商品情報が示す商品をお気に入り商品に選択した場合に、この商品をこのユーザと対応付けて管理する。言い換えれば、商品登録部３１６は、ユーザ毎に、お気に入り登録された商品のリストを管理する。
【００５３】
具体的には、商品登録部３１６は、端末１２０において、ある商品がお気に入り商品に選択され、お気に入り登録の要求が行われると、該当する商品の商品情報を取得し、登録商品情報データベース３１４２に格納する。
【００５４】
また、商品登録部３１６は、該当する商品の商品情報と、この商品が販売されているＥＣサイトに関する情報とを取得し、お気に入り登録の要求を行ったユーザのユーザ情報の一部として、ユーザ情報データベース３１４１に格納する。
【００５５】
尚、登録商品情報データベース３１４２に格納される商品情報は、商品を識別するための商品ＩＤ、商品名、商品説明、商品の画像データ等を含んで良い。また、ユーザ情報データベース３１４１に、ユーザ情報の一部として格納される商品情報は、例えば、商品ＩＤのみであってもよい。以下の説明では、ユーザによってお気に入り商品が選択されることを、ユーザによって商品がお気に入り登録される、と表現する場合がある。
【００５６】
表示制御部３１７は、サーバ１１０の処理に応じた端末１２０の表示を制御する。
【００５７】
在庫判定部３１８は、外部サーバ１４０から、商品登録部３１６によって登録商品情報データベース３１４２に登録された商品の在庫の状態を示す在庫情報を取得し、登録された商品の在庫の有無を判定する。
【００５８】
画面生成部３１９は、登録商品情報データベース３１４２に格納された登録商品情報を用いて、端末１２０に商品画面を表示させるための情報を生成する。
【００５９】
決済部３２０は、端末１２０からの支払い代金の決済要求に応じて、決済を行う。
【００６０】
（２）端末の機能構成 
端末１２０は、受付部３２１と、送受信部３２２と、制御部３２３と、記憶部３２４と、とを有する。なお、各機能部の機能または処理は、実現可能な範囲において、機械学習またはＡＩ（Ａｒｔｉｆｉｃａｉｌ  Ｉｎｔｅｌｌｉｇｅｎｃｅ）により実現されてもよい。
【００６１】
受付部３２１は、端末１２０のユーザからの各種の操作などを受け付ける。
【００６２】
送受信部３２２は、制御部３２３の指示に従い、サーバ１１０などとのデータの送受信を行う。なお、送受信部３２２は、例えば、サーバ１１０にログインした際、サーバ１１０とのＨＴＴＰＳなどを用いた通信用のセッションを接続する。そして、接続した通信用のセッションのＩＤに対応付けて、サーバ１１０の通信用のアドレスなどを記憶しておく。そして、接続した通信用のセッションを用いて、サーバ１１０にデータを送信する。
【００６３】
制御部３２３は、サーバ１１０により提供される決済サービス、金融サービス、及び電子商取引サービスなどのサービスを利用する処理を行う。
【００６４】
記憶部３２４は、端末１２０で実行されるプログラムなどが格納される。
【００６５】
（３）ユーザ情報データベース３１４１の例
以下に、図４を参照して、本実施形態のユーザ情報データベース３１４１について説明する。図４は、ユーザ情報データベースの一例を示す図である。
【００６６】
ユーザ情報データベース３１４１は、情報の項目として、ユーザＩＤ、ユーザ名、住所、保有残高、ポイント、お気に入り商品ＩＤ、サイト名、決済履歴などを有する。ユーザ情報データベース３１４１において、項目「ユーザＩＤ」と、その他の項目とは対応付けられている。
【００６７】
項目「ユーザＩＤ」の値は、サーバ１１０が提供する決済サービスのユーザを特定するためのユーザ識別情報を示す。項目「ユーザ名」の値は、ユーザの名称を示す。項目「住所」の値は、ユーザの住所を示す。
【００６８】
項目「保有残高」の値は、ユーザが決済に利用可能な金額の残高を示す。具体的には、項目「保有残高」の値は、ユーザがサーバ１１０に入金している金額である。ユーザがサーバ１１０に入金している金額には、例えば、当該ユーザがサーバ１１０により提供される電子商取引サービスを用いて商品などを販売した際の当該商品などの代金が含まれてもよい。また、例えば、銀行、クレジットカード、及び店舗のレジなどを用いてチャージされた金額が含まれてもよい。
【００６９】
項目「ポイント」の値は、例えば、当該ユーザがサーバ１１０から付与された、代金の支払いに利用可能なポイントである。なお、１ポイントで１円分の支払いができるようにしてもよい。
【００７０】
項目「お気に入り商品ＩＤ」の値は、ユーザがお気に入り登録した商品の商品ＩＤである。項目「サイト名」の値は、対応する商品ＩＤを取り扱っているＥＣサイトを特定するための情報であり、ＥＣサイトの名称である。なお、本実施形態では、ＥＣサイトを特定する情報として、ＥＣサイト名以外の情報を用いてもよい。具体的には、ＥＣサイトのＵＲＬ（Uniform Resource Locator）や、ＥＣサイトの識別子などを用いてもよい。
【００７１】
項目「決済履歴」の値は、対応するユーザの決済履歴を示す。具体的には、項目「決済履歴」の値は、例えば、対応するユーザが、サーバ１１０が提供する決済サービスを用いて決済を行ったＷｅｂサイトを特定する情報や、決済サービスを用いてユーザが購入した商品に関する情報が含まれてもよい。
【００７２】
（４）登録商品情報データベース３１４２の例
以下に、図５を参照して、本実施形態の登録商品情報データベース３１４２について説明する。図５は、登録商品情報データベースの一例を示す図である。
【００７３】
登録商品情報データベース３１４２は、情報の項目として、商品情報、サイト名などを有する。登録商品情報データベース３１４２において、項目「商品情報」と、その他の項目とは対応付けられている。以下の説明では、登録商品情報データベース３１４２において、項目「商品ＩＤ」の値と、その他の項目の値とを含む情報を、登録商品情報と呼ぶ。登録商品情報は、端末１２０のユーザがお気に入り登録した商品の商品情報である。
【００７４】
項目「商品情報」の値は、商品に関する情報である。具体的には、項目「商品情報」には、項目「商品ＩＤ」、「商品名」、「商品説明」、「商品価格」が含まれる。
【００７５】
項目「商品ＩＤ」の値は、商品を特定するための識別情報である。項目「商品名」の値は、商品の名称を示す。項目「説明情報」の値は、商品の説明を示す。項目「商品価格」の値は、商品の代金を示す。
【００７６】
図４及び図５の例から、ユーザＩＤ「１０１」のユーザＡは、××ショップで販売されている商品ＩＤ「１００１」のフィッシャーマンセーターをお気に入り登録したことがわかる。
【００７７】
＜第１実施形態の動作処理＞
図６を参照し、実施形態に係る通信システム１の処理について説明する。図６は、実施形態に係る通信システムの処理のシーケンスの一例を示す。
【００７８】
図６では、端末１２０において、外部サーバ１４０が提供するＥＣサイトの商品を、サーバ１１０において、お気に入り登録された商品として管理するためのシーケンスを示している。
【００７９】
本実施形態の通信システム１において、端末１２０は、端末１２０のユーザの操作に応じて、サーバ１１０が提供するＥＣサイトを起動させ（ステップＳ６０１）、ログイン画面を表示させる（ステップＳ６０２）。
【００８０】
続いて、端末１２０は、ログイン画面に、ユーザの認証情報が入力されると、認証情報をサーバ１１０へ送信する（ステップＳ６０３）。認証情報とは、例えば、ユーザＩＤとパスワードである。
【００８１】
サーバ１１０は、認証情報を受信すると、ユーザの認証を行い（ステップＳ６０４）、認証結果を端末１２０へ送信する（ステップＳ６０５）。なお、図６では、認証が成功した場合の動作を示している。
【００８２】
端末１２０は、認証が成功すると、サーバ１１０が提供するＥＣサイトのホーム画面を表示させる（ステップＳ６０６）。このとき、ＥＣサイトのホーム画面には、サーバ１１０を管理する事業者とは、別の事業者によって提供されるＥＣサイトの広告が表示される。
【００８３】
具体的には、例えば、外部サーバ１４０は、サーバ１１０を管理する事業者とは、別の事業者によって管理されるサーバであり、サーバ１１０が提供するＥＣサイトとは別のＥＣサイトを提供する。
【００８４】
以下の説明では、サーバ１１０が提供するＥＣサイトを第１ＥＣサイトと呼び、外部サーバ１４０が提供するＥＣサイトを第２ＥＣサイトと呼ぶ場合がある。
【００８５】
第１ＥＣサイトとは、サーバ１１０によって提供される第１電子商取引サービスであり、第２ＥＣサイトとは、外部サーバ１４０によって提供される第２電子商取引サービスである。
【００８６】
端末１２０は、ユーザによって、第１ＥＣサイトのホーム画面において、第２ＥＣサイトの広告が選択されると（ステップＳ６０７）、サーバ１１０に対して、セッションＩＤの取得要求を送信する（ステップＳ６０８）。
【００８７】
セッションＩＤとは、サーバ１１０にアクセスしたユーザ（端末１２０）のセッションを一意に識別するために、サーバ１１０によって付与される情報のことである。
【００８８】
サーバ１１０は、セッションＩＤの取得要求を受信すると、通信制御部３１５により、端末１２０にセッションＩＤを送信する（ステップＳ６０９）。
【００８９】
端末１２０は、セッションＩＤを受信すると、このセッションＩＤをブラウザに渡す（ステップＳ６１０）。続いて、端末１２０は、選択した広告と対応する第２ＥＣサイトを表示させる（ステップＳ６１１）。つまり、端末１２０は、外部サーバ１４０が提供する第２ＥＣサイトを画面に表示させる。
【００９０】
続いて、端末１２０は、ユーザにより、第２ＥＣサイトの商品をお気に入り登録する操作を受け付けると（ステップＳ６１２）、外部サーバ１４０に対して、セッションＩＤと、お気に入り商品の登録要求を送信する（ステップＳ６１３）。
【００９１】
このとき、端末１２０から外部サーバ１４０に対して送信される登録要求には、お気に入り商品に選択された商品の商品情報を、外部サーバ１４０からサーバ１１０へ送信させる要求を含む。
【００９２】
言い換えれば、端末１２０から外部サーバ１４０に対して送信される登録要求には、お気に入り商品に選択された商品と、端末１２０のユーザとの対応付けを、サーバ１１０で行わせるための要求が含まれる。
【００９３】
外部サーバ１４０は、セッションＩＤと登録要求とを受信すると、お気に入り登録の対象とされた商品の商品情報を取得し、セッションＩＤで紐付けられたサーバ１１０へ、セッションＩＤと商品情報とを送信する（ステップＳ６１４）。このとき、外部サーバ１４０は、商品情報と共に、第２ＥＣサイトを特定する情報として、第２ＥＣサイト名をサーバ１１０に送信してもよい。
【００９４】
また、外部サーバ１４０は、第２ＥＣサイトで販売されている商品の商品情報が格納されたデータベースを有していてもよい。
【００９５】
続いて、サーバ１１０は、外部サーバ１４０からセッションＩＤと商品情報とを受信すると、商品登録部３１６により、受信した商品情報が示す商品を、セッションＩＤによって特定されるユーザのお気に入りの商品として、お気に入り登録する（ステップＳ６１５）。言い換えれば、商品登録部３１６は受信した商品情報が示す商品を、ユーザと対応付けて、ユーザのお気に入り商品の一覧に含める。
【００９６】
具体的には、商品登録部３１６は、ユーザ情報データベース３１４１に格納されたユーザ情報のうち、セッションＩＤによって特定されるユーザＩＤと対応するユーザ情報に、受信した商品情報に含まれる商品ＩＤと、ＥＣサイト名とを含める。
【００９７】
また、商品登録部３１６は、登録商品情報データベース３１４２に、受信した商品情報とサイト名とを格納する。
【００９８】
続いて、サーバ１１０は、お気に入り登録が完了したことを示す通知を、外部サーバ１４０と端末１２０のそれぞれに送信する（ステップＳ６１６、６１７）。
【００９９】
端末１２０は、お気に入り登録が完了を示す通知を受信すると、お気に入り登録が完了したことを示す画面を表示させる（ステップＳ６１８）。
【０１００】
このように、本実施形態によれば、外部サーバ１４０が提供するＥＣサイトで取り扱われている商品を、外部サーバ１４０が提供するＥＣサイトとは別のＥＣサイトを提供するサーバ１１０において、お気に入り登録された商品として管理できる。
【０１０１】
つまり、サーバ１１０では、サーバ１１０を管理する事業者とは別の事業者によって提供されるＥＣサイトにおいてお気に入り商品として選択された商品を、サーバ１１０において管理することができる。
【０１０２】
なお、図６では、外部サーバ１４０は１つとしているが、通信システム１に含まれる外部サーバ１４０の数は任意である。外部サーバ１４０が多数存在した場合には、サーバ１１０は、多数のＥＣサイトのそれぞれにおいて、お気に入り商品に選択された商品の商品情報を、サーバ１１０において、一元管理することができる。
【０１０３】
また、本実施形態のサーバ１１０は、例えば、図６のステップＳ６１５においてお気に入り登録された商品と同様の商品が第１ＥＣサイトで販売されていた場合、その旨を示す通知を端末１２０に送信してもよい。具体的には、サーバ１１０は、ステップＳ６１５において登録商品情報データベース３１４２に格納された登録商品情報と、内容が一致する商品情報が、サーバ１１０の管理する商品情報データベース内に存在する場合に、内容が一致する商品情報の一部を、おすすめ情報として端末１２０に送信してもよい。
【０１０４】
これにより、本実施形態では、端末１２０のユーザに対し、第２ＥＣサイトでお気に入り登録した商品が、第１ＥＣサイトでも販売されていることを通知できる。
【０１０５】
次に、図７を参照し、実施形態に係る通信システム１の処理について説明する。図７は、実施形態に係る通信システムの処理のシーケンスの他の例を示す。
【０１０６】
図７は、端末のユーザが気に入り登録された商品の一覧から、商品を購入する場合の動作を示すシーケンスである。
【０１０７】
本実施形態の端末１２０は、ユーザによって、サーバ１１０が提供する第１ＥＣサイトのホーム画面が表示され（ステップＳ７０１）、お気に入り一覧の表示要求の操作がなされると、お気に入り一覧の表示要求をサーバ１１０へ送信する（ステップＳ７０２）。なお、この表示要求には、端末１２０のユーザＩＤが含まれてよい。
【０１０８】
サーバ１１０は、表示要求を受け付けると、表示制御部３１７により、ユーザ情報データベース３１４１と登録商品情報データベース３１４２を参照し、ユーザＩＤと対応付けられた商品情報を参照し、お気に入り一覧の表示指示を端末１２０へ送信する（ステップＳ７０３）。
【０１０９】
より詳細には、表示制御部３１７は、ユーザ情報データベース３１４１を参照して、ユーザＩＤと対応付けられたお気に入り商品ＩＤを抽出する。そして、表示制御部３１７は、登録商品情報データベース３１４２を参照して、抽出されたお気に入り商品ＩＤと商品ＩＤが一致する商品情報とサイト名を取得する。そして、表示制御部３１７は、取得した情報に基づき、ユーザがお気に入り商品として選択した商品の一覧を示す表示させる情報を生成し、端末１２０に送信する。
【０１１０】
つまり、商品の一覧を示す表示させる情報は、第１ＥＣサイトにおいてお気に入り登録された商品の情報と、第２ＥＣサイト（第２商取引サービス）においてお気に入り登録された商品の情報とを含む。
【０１１１】
端末１２０は、お気に入り一覧の表示指示を受信すると、お気に入り一覧画面を表示させる（ステップＳ７０４）。このお気に入り一覧画面に表示された商品には、第１ＥＣサイトにおいてお気に入り商品に選択された商品と、第２ＥＣサイトにおいてお気に入り商品に選択された商品とが混在する。お気に入り一覧画面の詳細は後述する。
【０１１２】
続いて、端末１２０は、お気に入り一覧画面において、商品の選択を受け付けると（ステップＳ７０５）、商品画面の表示要求をサーバ１１０へ送信する（ステップＳ７０６）。
【０１１３】
サーバ１１０は、この表示要求を受信すると、画面生成部３１９により、登録商品情報データベース３１４２に格納された登録商品情報に基づき、選択された商品の商品画面を表示させるための情報を生成する（ステップＳ７０７）。
【０１１４】
具体的には、例えば、画面生成部３１９は、第１ＥＣサイトの商品画面のフォーマットに含まれる項目に、登録商品情報データベース３１４２に格納された登録商品情報に含まれる項目を当てはめる。画面生成部３１９は、この方法によって、外部サーバ１４０から取得した登録商品情報を、サーバ１１０が提供する第１ＥＣサイトの商品画面のフォーマットで端末１２０に表示させることができる。
【０１１５】
続いて、サーバ１１０は、端末１２０に対して、商品画面の表示指示を送信する（ステップＳ７０８）。具体的には、サーバ１１０は、ステップＳ７０７で生成された商品画面を表示させるための情報を端末１２０へ送信する。
【０１１６】
端末１２０は、この表示指示を受信すると、商品画面を表示させる（ステップＳ７０９）。続いて、端末１２０は、ユーザによる、商品の購入を指示する操作に応じて、購入画面の表示要求をサーバ１１０に送信する（ステップＳ７１０）。
【０１１７】
サーバ１１０は、この表示要求を受信すると、在庫判定部３１８により、外部サーバ１４０に対して、購入が指示された商品の在庫情報の取得要求を送信し（ステップＳ７１１）、外部サーバ１４０から在庫情報を受信する（ステップＳ７１２）。
【０１１８】
続いて、サーバ１１０は、在庫判定部３１８により、受信した在庫情報に基づき、購入が指示された商品の在庫が存在するか否かを判定する（ステップＳ７１３）。以下の説明では、購入が指示された商品の在庫がある場合の動作を示す。
【０１１９】
なお、サーバ１１０は、ステップＳ７１３で該当する商品の在庫がない場合には、その旨を示す通知を端末１２０に送信して、処理を終了してもよい。
【０１２０】
サーバ１１０は、該当する商品の在庫がある場合、端末１２０に対して、商品の購入画面の表示指示を送信する（ステップＳ７１４）。
【０１２１】
端末１２０は、この表示指示を受信すると、商品の購入画面を表示させる（ステップＳ７１５）。
【０１２２】
端末１２０は、購入画面において、ユーザにより、支払い代金の決済画面を表示させるための操作が行われると、決済画面の表示要求をサーバ１１０へ送信する（ステップＳ７１６）。サーバ１１０は、この表示要求を受信すると、端末１２０に対して、決済画面の表示指示を送信する（ステップＳ７１７）。
【０１２３】
端末１２０は、この表示指示を受信すると、決済画面を表示させる（ステップＳ７１８）。また、端末１２０は、決済画面において、ユーザにより、決済を要求する操作が行われると、決済要求をサーバ１１０へ送信する（ステップＳ７１９）。
【０１２４】
サーバ１１０は、決済要求を受信すると、端末１２０に対して、決済内容の確認を促す確認画面の表示指示を送信する（ステップＳ７２０）。端末１２０は、この表示指示を受信すると、決済内容の確認画面を表示させる（ステップＳ７２１）。
【０１２５】
端末１２０は、確認画面において、ユーザにより、決済内容を確認したことを示す操作が行われると、確認が行われたことを示す通知をサーバ１１０に送信する（ステップＳ７２２）。
【０１２６】
サーバ１１０は、この通知を受信すると、決済部３２０により決済を行い（ステップＳ７２３）、決済が完了したことを示す通知を端末１２０に送信する（ステップＳ７２４）。なお、このとき、サーバ１１０は、外部サーバ１４０に対して、商品を購入したユーザのユーザ情報と、購入された商品を示す情報と、を決済完了通知と共に送信してもよい。
【０１２７】
端末１２０は、この通知を受信すると、決済完了画面を表示させ（ステップＳ７２５）、処理を終了する。
【０１２８】
なお、本実施形態では、端末１２０による商品の購入履歴は、サーバ１１０と外部サーバ１４０の両方において管理されてもよい。
【０１２９】
また、本実施形態のサーバ１１０は、端末１２０のユーザが購入した商品が、第１ＥＣサイトにおいて、所定数以上のユーザのお気に入り商品に選択された場合には、端末１２０にその旨を示す通知をしてもよい。
【０１３０】
具体的には、例えば、端末１２０のユーザが、お気に入り登録されている商品のうち、第２ＥＣサイトで販売している商品Ｘを購入したとする。
【０１３１】
サーバ１１０は、商品Ｘが、第１ＥＣサイトでも販売されており、且つ、所定数以上のユーザがお気に入り商品として商品Ｘを選択した場合に、商品Ｘを購入したユーザに対して、このユーザが購入した商品Ｘは第１ＥＣサイトにおいて人気商品であることを示す通知等を送信する。この通知には、例えば、商品Ｘを第１ＥＣサイトで販売した場合の買取価格の相場などを示す情報を含めてもよい。
【０１３２】
この通知を送信することで、商品Ｘを購入したユーザに対して、自身が購入した商品の価値や需要の有無を把握させることができる。
【０１３３】
＜実施形態の端末１２０表示態様＞
以下に、端末１２０の表示例について説明する。図８は、端末においてお気に入り登録を行う際の端末の画面遷移を説明する図である。図８に示す各画面は、図６で説明した動作に応じて端末１２０に表示される。
【０１３４】
図８に示す画面８１Ａは、端末１２０に表示された第１ＥＣサイトであるサイトＭのホーム画面の例である。画面８１Ａは、例えば、図６のステップＳ６０６で端末１２０に表示される。
【０１３５】
画面８１Ａには、表示欄８２と表示欄８３とが含まれる。表示欄８２には、第１ＥＣサイトで販売されている商品の画像の一覧が表示される。表示欄８３には、第２ＥＣサイトである××ショップの広告が表示される。
【０１３６】
なお、画面８１Ａの例では、第２ＥＣサイトの広告が表示される表示欄８３は１つとしたが、これに限定されない。画面８１Ａには、複数の異なる第２ＥＣサイトのが表示されてもよい。言い換えれば、画面８１Ａは、複数の表示欄８３を有していてもよい。
【０１３７】
端末１２０は、画面８１Ａにおいて、ユーザにより、表示欄８３に表示された××ショップの広告が選択されると、画面８１Ａを画面８１Ｂに遷移させる。
【０１３８】
画面８１Ｂは、図６のステップＳ６１１で端末１２０に表示される画面である。つまり、画面８１Ｂは、第２ＥＣサイトである××ショップのサイトが表示されている。なお、画面８１Ａから画面８１Ｂに遷移するまでの間に、××ショップのホーム画面などか端末１２０に表示されてもよい。その場合、端末１２０は、××ショップのホーム画面において商品が選択されると、××ショップのホーム画面を画面８１Ｂに遷移させてもよい。
【０１３９】
画面８１Ｂは、表示欄８４と、表示欄８５とを有する。表示欄８４には、第２ＥＣサイトのサイト名「××ショップ」が表示されている。表示欄８５には、××ショップて販売されている商品の商品情報が表示されている。
【０１４０】
また、表示欄８５は、操作ボタン８６と操作ボタン８７とを含む。操作ボタン８６は、画面８１Ｂを、商品の購入画面へ遷移させるための操作ボタンである。
【０１４１】
操作ボタン８７は、画面８１Ｂに表示された商品を、サーバ１１０に、端末１２０のユーザのお気に入り商品として管理させるための操作ボタンである。
【０１４２】
言い換えれば、操作ボタン８７は、端末１２０が××ショップのサイト上で、お気に入り商品として選択した商品の商品情報を、サイトＭにおいてユーザと対応付けて管理させるための操作ボタンである。
【０１４３】
なお、外部サーバ１４０は、第２ＥＣサイトの商品画面に操作ボタン８７を表示させるように、予め準備されている。
【０１４４】
端末１２０は、画面８１Ｂにおいて、操作ボタン８７が操作されると、サーバ１１０に対して、表示されている商品のお気に入り登録要求を送信する。このお気に入り登録要求は、サーバ１１０に対して、外部サーバ１４０から該当する商品の商品情報を取得し、ユーザＩＤと対応付けて管理させることを要求するものである。
【０１４５】
端末１２０は、画面８１Ｂにおいて、操作ボタン８７が操作された後に、サーバ１１０から、表示された商品情報とユーザＩＤとが対応付けて格納されたことを示す通知を受信すると、画面８１Ｂを画面８１Ｃに遷移させる。
【０１４６】
画面８１Ｃでは、操作ボタン８７が表示されていた位置に、お気に入り登録が完了したことを示す通知８８が表示される。
【０１４７】
このように、本実施形態では、外部サーバ１４０が提供する第２ＥＣサイトで取り扱われている商品を、サーバ１１０が提供する第１ＥＣサイトで管理されるお気に入り商品として、登録することができる。したがって、本実施形態によれば、提供する事業者が異なる複数の第２ＥＣサイトのそれぞれにおいて、ユーザがお気に入り商品に選択した商品を、第１ＥＣサイトにおいて、一括してユーザと対応付けて管理することができる。
【０１４８】
図９は、お気に入り一覧画面の一例を示す図である。図９に示す画面９１は、例えば、図７のステップＳ７０４において、端末１２０に表示される。
【０１４９】
画面９１は、端末１２０のユーザが、第１ＥＣサイトと第２ＥＣサイトのそれぞれにおいて、お気に入り商品として選択した商品の一覧が表示されている。
【０１５０】
ここで、画面９１では、第２ＥＣサイトにおいてお気に入り商品に選択された商品の情報は、第２ＥＣサイトの名称と対応付けて表示してもよい。
【０１５１】
画面９１では、お気に入り商品の情報が表示された表示欄９２、９３、９４、９５などを有する。
【０１５２】
表示欄９２は、商品の名称とサムネイル画像に加えて、第２ＥＣサイトの名称が表示される表示欄９２ａを有している。また、表示欄９３は、表示欄９３ａを有し、表示欄９５は、表示欄９５ａを有している。
【０１５３】
表示欄９２ａには、「○○メガネ」が表示されており、表示欄９３ａには、「××ショップ」が表示されており、表示欄９５ａには、「△△シューズ」が表示されている。
【０１５４】
したがって、表示欄９２に情報が表示された商品は、サイト名が「○○メガネ」である第２ＥＣサイトにおいて販売されている商品であることがわかる。同様に、表示欄９３に情報が表示された商品は、サイト名が「××ショップ」である第２ＥＣサイトにおいて販売されている商品であり、表示欄９５に情報が表示された商品は、サイト名が「△△シューズ」である第２ＥＣサイトにおいて販売されている商品であることがわかる。
【０１５５】
これに対し、表示欄９４には、ＥＣサイトの名称が表示されていない。このため、表示欄９４に情報が表示された商品は、サーバ１１０が提供する第１ＥＣサイトにおいて販売されている商品であることがわかる。
【０１５６】
なお、表示欄９４に、第１ＥＣサイトの名称である「サイトＭ」を表示させてもよい。
【０１５７】
このように、本実施形態では、第１ＥＣサイトでお気に入り商品に選択された商品と、第２ＥＣサイトにおいて、お気に入り商品に選択された商品と、を含むお気に入り商品の一覧画面（画面９１）を第１ＥＣサイト上で表示させることができる。
【０１５８】
したがって、端末１２０のユーザは、例えば、複数の第２ＥＣサイトのそれぞれにおいて選択したお気に入り商品の一覧を閲覧する場合に、それぞれのＥＣサイトにアクセスする必要がなく、ユーザの利便性を向上させることができる。
【０１５９】
次に、図１０及び図１１を参照して、お気に入り一覧画面において選択された商品を購入する場合の端末１２０の画面の遷移を説明する。図１０と図１１に示す各画面は、図７で説明した動作に応じて端末１２０に表示される。
【０１６０】
図１０は、お気に入り一覧画面において選択された商品を購入する場合の端末の画面遷移を説明する第一の図である。
【０１６１】
図１０に示す画面１０１Ａは、お気に入り一覧画面において選択された商品の商品情報に基づき、サーバ１１０が生成した商品画面の一例である。図１０では、図９に示す画面９１の表示欄９３に商品情報の一部が表示された商品「フィッシャーマンセーター」が選択された場合を示している。
【０１６２】
この場合、サーバ１１０は、登録商品情報データベース３１４２から、商品「フィッシャーマンセーター」と対応する商品情報を取得し、第１ＥＣサイトの商品画面のフォーマットに基づく商品画面を表示させるための情報を生成し、端末１２０に表示させる。
【０１６３】
画面１０１Ａは、図７のステップＳ７０９で端末１２０に表示される商品画面の例であり、表示欄１０２、１０３、１０４と、操作ボタン１０５を有する。表示欄１０２は、商品「フィッシャーマンセーター」を販売している第２ＥＣサイトのサイト名が表示される。表示欄１０３は、商品「フィッシャーマンセーター」の商品情報が表示される。表示欄１０４は、商品「フィッシャーマンセーター」を購入する際の支払い金額が表示される。操作ボタン１０５は、商品の購入指示をサーバ１１０に送信するための操作ボタンである。
【０１６４】
端末１２０は、画面１０１Ａにおいて、操作ボタン１０５が操作されると、画面１０１Ａを画面１０１Ｂへ遷移させる。
【０１６５】
画面１０１Ｂは、サーバ１１０において、在庫判定部３１８の処理が実行されている間に端末１２０に表示される画面の例である。画面１０１Ｂでは、購入指示がなされた商品の在庫を確認していることを示す通知１０６が表示される。
【０１６６】
端末１２０は、サーバ１１０において在庫の確認が完了し、購入指示された商品の在庫がある場合に、画面１０１Ｂを画面１０１Ｃに遷移させる。
【０１６７】
画面１０１Ｃは、図７のステップＳ７１５で端末１２０に表示される購入画面の例であり、表示欄１０７、１０８と操作ボタン１０９を有する。
【０１６８】
表示欄１０７には、商品の説明と商品代金を含む商品情報が表示され、表示欄１０８には、商品代金と配送料と、両者の合計金額とが表示されている。
【０１６９】
また、操作ボタン１０９は、合計金額が示す金額の決済を指示するための操作ボタンである。端末１２０は、画面１０１Ｃにおいて操作ボタン１０９が操作されると、サーバ１１０に対して決済指示を送信し、画面１０１Ｃを後述する画面１１１Ａに遷移させる。
【０１７０】
図１１は、お気に入り一覧画面において選択された商品を購入する場合の端末の画面遷移を説明する第二の図である。
【０１７１】
図１１に示す画面１１１Ａは、図７のステップＳ７１７で端末１２０に表示される決済画面の一例である。画面１１１Ａは、表示欄１１２〜１１５と、操作ボタン１１６とを有する。
【０１７２】
表示欄１１２には、外部サーバ１４０が提供する第２ＥＣサイトの名称が表示され、表示欄１１３には、商品代金と配送料の合計金額、つまり、決済金額が表示されている。
【０１７３】
また、表示欄１１４には、端末１２０のユーザのポイントと保有残高について、それぞれを使用するか否かを選択させる選択欄が表示されており、表示欄１１５には、選択された決済方法が表示されている。
【０１７４】
また、画面１１１Ａにおいて、操作ボタン１１６が操作されると、端末１２０は、サーバ１１０に、決済要求を送信し、画面１１１Ａを画面１１１Ｂに遷移させる。
【０１７５】
画面１１１Ｂは、図７のステップＳ７２１で端末１２０に表示される確認画面の一例である。画面１１１Ｂは、表示欄１１７、１１８を有する。
【０１７６】
表示欄１１７には、商品代金と配送料との合計金額（決済金額）と、支払に使用されるポイントと、支払に使用される保有残高と、支払金額と、支払方法とが表示される。また、表示欄１１８には、操作ボタン１１９が表示されている。操作ボタン１１９は、表示欄１１７に表示された内容に対する決済を承認したことを示す通知をサーバ１１０へ送信するための操作ボタンである。
【０１７７】
画面１１１Ｂにおいて、操作ボタン１１９が操作されると、端末１２０は、決済を承認したことを示す通知をサーバ１１０へ送信し、画面１１１Ｂを画面１１１Ｃに遷移させる。
【０１７８】
画面１１１Ｃは、図７のステップＳ７２５で端末１２０に表示される決済完了画面の例である。画面１１１Ｃには、決済が完了したことを示す通知１１１Ｄが表示される。
【０１７９】
このように、本実施形態では、第１ＥＣサイトにおいて一括して管理されたお気に入り商品の中から商品を選択して購入する場合には、第１ＥＣサイトにおいて、購入が指示された商品の商品画面を生成し、決済まで行わせることができる。
【０１８０】
したがって、例えば、第１ＥＣサイトにおいて一括して管理されたお気に入り商品の中から、第２ＥＣサイトで販売している商品に対して購入指示がなされた場合でも、端末１２０は、第２ＥＣサイトを提供する外部サーバ１４０と通信せずに、第２ＥＣサイトで販売している商品の決済を行うことができる。このため、端末１２０では、通信にかかる負荷を軽減することができる。
【０１８１】
また、本実施形態では、お気に入り登録された商品であれば、その商品を販売しているＥＣサイトが第１ＥＣサイトであるのか、又は、第２ＥＣサイトであるのか、気にせずに、一連の処理として決済を行うことができるため、ユーザの利便性を向上させることができる。
【０１８２】
＜＜第１実施例＞＞
第１実施例は、お気に入り一覧画面を表示する際に、在庫情報を表示させる実施例である。
【０１８３】
＜＜第１実施例の効果＞＞
第１実施例によれば、在庫情報を表示させることで、お気に入り登録した商品の在庫の状態をユーザに把握させることができる、という効果が得られる。
【０１８４】
＜＜第１実施例の端末１２０のお気に入り一覧画面の表示態様＞＞
図１２は、第１実施例のお気に入り一覧画面の表示例を示す図である。図１２に示す画面９１Ａは、お気に入り商品の情報が表示された表示欄９２Ａ、９３Ａ、９４、９５Ａなどを有する。
【０１８５】
表示欄９２Ａは、第２ＥＣサイトの名称が表示される表示欄９２ａと、表示欄９２ｂとを有する。表示欄９２ｂは、表示欄９２Ａに情報が表示された商品の在庫情報が表示されている。
【０１８６】
この場合、サーバ１１０は、端末１２０からお気に入り一覧画面の表示要求を受信すると、お気に入り登録された商品のうち、第２ＥＣサイトにおいて登録された商品について、第２ＥＣサイトを提供する外部サーバ１４０から在庫情報を取得する。そして、サーバ１１０は、在庫情報をお気に入り登録された商品の商品情報と対応付けて、端末１２０に送信すればよい。
【０１８７】
同様に、表示欄９３Ａ、９５Ａは、それぞれに情報が表示された商品の在庫情報が表示される表示欄９３ｂ、９５ｂを有する。
【０１８８】
画面９１Ａでは、表示欄９２Ａに情報が表示された商品は「在庫あり」となっており、表示欄９３Ａに情報が表示された商品は「残り１着」となっており、表示欄９５Ａに情報が表示された商品は「売り切れ」となっている。
【０１８９】
本実施形態では、このように、端末１２０のユーザがお気に入り一覧画面を表示させたときの、お気に入り商品の在庫の状況をユーザに把握させることができる。
【０１９０】
＜＜第２実施例＞＞
第２実施例は、気に入り一覧画面を表示する際に、お気に入り商品の第１ＥＣサイトで価格を表示させる実施例である。
【０１９１】
＜＜第２実施例の効果＞＞
第２実施例によれば、在庫情報を表示させることで、お気に入り登録した商品を第１ＥＣサイトで購入した場合の価格の相場をユーザに把握させることができる、という効果が得られる。
【０１９２】
＜＜第２実施例の端末１２０のお気に入り一覧画面の表示態様＞＞
図１３は、第２実施例のお気に入り一覧画面の表示例を示す図である。図１３に示す画面９１Ｂは、お気に入り商品の情報が表示された表示欄９２Ｂ、９３Ｂ、９４、９５Ｂなどを有する。
【０１９３】
表示欄９２Ｂは、第２ＥＣサイトの名称が表示される表示欄９２ａと、表示欄９２ｃとを有する。表示欄９２ｃは、表示欄９２Ｂに情報が表示された商品が第１ＥＣサイトで販売された場合の平均買取価格が表示される。
【０１９４】
この場合、サーバ１１０は、端末１２０からお気に入り一覧画面の表示要求を受信すると、第１ＥＣサイトにおいて、各表示欄に情報が表示された商品と同様の商品が販売されたときの履歴情報を参照し、平均買取価格を算出すれば良い。
【０１９５】
また、サーバ１１０は、お気に入り登録された商品のうち、第２ＥＣサイトで販売されている商品についてのみ、平均買取価格を算出しても良い。
【０１９６】
本実施形態では、このように、端末１２０のユーザがお気に入り一覧画面を表示させたときに、第２ＥＣサイトの商品が、第１ＥＣサイトではどの程度の価格で流通しているかを、ユーザに把握させることができる。
【０１９７】
＜＜第３実施例＞＞
第３実施例は、第２ＥＣサイトで販売されている商品について、一定数以上のユーザがお気に入り登録した場合に、この商品を第１ＥＣサイトに自動で出品する実施例である。
【０１９８】
＜＜第３実施例の効果＞＞
第３実施例によれば、第２ＥＣサイトを管理する事業者に対して、多くの人にお気に入り登録されている商品を、第２ＥＣサイト以外で販売する機会を提供することができる、という効果が得られる。
【０１９９】
＜＜第３実施例の端末１２０のお気に入り一覧画面の表示態様＞＞
図１４は、第３実施例のお気に入り一覧画面の表示例を示す図である。図１４に示す画面１４１は、端末１２０に表示される画面の一例であり、第２ＥＣサイトから自動で出品された商品の商品画面の一例を示す。
【０２００】
画面１４１は、表示欄１４２、１４３を有する。表示欄１４２は、第２ＥＣサイトから自動で出品された商品の商品情報が表示される。また、表示欄１４２は、表示欄１４４を有する。表示欄１４４には、この商品を販売している第２ＥＣサイトのサイト名が、出品者名として表示される。
【０２０１】
表示欄１４３には、表示欄１４２に商品情報が表示された商品が、第２ＥＣサイトから出品された商品であることを示す通知が表示される。この通知には、この商品をお気に入り登録したユーザの人数が含まれる。
【０２０２】
この場合、サーバ１１０は、例えば、ユーザ情報データベース３１４１において、お気に入り商品ＩＤとして登録された回数が所定回数以上の商品について、登録商品情報データベース３１４２に格納された登録商品情報を取得する。そして、サーバ１１０は、画面生成部３１９により、取得した登録商品情報を第１ＥＣサイトのフォーマットにしたがった商品画面を表示させる情報を生成すればよい。
【０２０３】
このように、本実施形態では、一定数以上のユーザにお気に入り登録された第２ＥＣサイトの商品を、第１ＥＣサイトに自動で出品させることができる。したがって、本実施形態によれば、第２ＥＣサイトを管理する事業者に対して、第２ＥＣサイトで販売している商品の販売の機会を提供することができる。
【符号の説明】
【０２０４】
１  通信システム
１１０  サーバ
１２０  端末
１４０  外部サーバ１
３１３  制御部
３１５  通信制御部
３１６  商品登録部
３１７  表示制御部
３１８  在庫判定部
３１９  画面生成部
３２０  決済部
３１４１  ユーザ情報データベース
３１４２  登録商品情報データベース
【図１】
2020126546.tif 000003
【図２】
2020126546.tif 000004
【図３】
2020126546.tif 000005
【図４】
2020126546.tif 000006
【図５】
2020126546.tif 000007
【図６】
2020126546.tif 000008
【図７】
2020126546.tif 000009
【図８】
2020126546.tif 000010
【図９】
2020126546.tif 000011
【図１０】
2020126546.tif 000012
【図１１】
2020126546.tif 000013
【図１２】
2020126546.tif 000014
【図１３】
2020126546.tif 000015
【図１４】
2020126546.tif 000016